(57)【要約】【課題】記録媒体の容量が増大し、そこに記録されるオーディオ、静止画、ビデオなどのデータファイルの数が一気に増え、それに伴ってプレイリストファイルの数も増えたことで、その中からユーザーが再生したいプレイリストファイルを選択する操作自体が不便になってきている。【解決手段】メニュー表示を利用したユーザー操作入力に従ってファイル読み出し手段にて読み出されたデータファイルやプレイリストファイルの情報管理を行い、データファイルについてそれぞれが指定されているプレイリストファイルを確認することが可能な一覧情報であるプレイリスト逆引きテーブルを作成することで再生したいコンテンツの含まれたプレイリストファイルを容易に検索することができる。【選択図】図１
2005182855.tif 000002
【特許請求の範囲】
【請求項１】
オーディオ、動画、静止画のデータファイルと前記データファイルの内容情報、再生順序情報を示したプレイリストファイルを１個以上保持する記録媒体から前記データファイルあるいは前記プレイリストファイルの読み出しを行うファイル読み出し手段と、メニュー表示を利用したユーザー操作入力に従って前記ファイル読み出し手段にて読み出された前記データファイルやプレイリストファイルの情報管理を行うファイル管理手段と、前記ファイル管理手段の管理する情報を用いて、前記データファイルについてそれぞれが指定されているプレイリストファイルを確認することが可能な一覧情報であるプレイリスト逆引きテーブルを作成するプレイリスト逆引きテーブル作成手段と、前記プレイリスト逆引きテーブル作成手段が作成した情報を保持する内部記憶手段とを備えたことを特徴とする再生装置。
【請求項２】
オーディオ、動画、静止画のデータファイルと前記データファイルの内容情報、再生順序情報を示したプレイリストファイルと前記データファイルについてそれぞれが指定されているプレイリストファイルを確認することが可能な一覧情報であるプレイリスト逆引きテーブルを１個以上保持する記録媒体から前記データファイルあるいは前記プレイリストファイルあるいは前記プレイリスト逆引きテーブルの読み出しを行うファイル読み出し手段と、メニュー表示を利用したユーザー操作入力に従って前記ファイル読み出し手段にて読み出された前記データファイルやプレイリストファイルやプレイリスト逆引きテーブルの情報管理を行うファイル管理手段とを備えたことを特徴とする再生装置。
【請求項３】
請求項１記載の再生装置に、前記プレイリスト逆引きテーブル作成手段により作成されたプレイリスト逆引きテーブルを前記記録媒体に記録するファイル記録手段を備えたことを特徴とする記録再生装置。
【請求項４】
前記ファイル管理手段の管理する前記データファイルを順序付けて再生するための新たなプレイリストファイルを作成するプレイリストファイル作成手段をさらに備えたことを特徴とする請求項３記載の記録再生装置。
【請求項５】
前記プレイリスト逆引きテーブルを利用してプレイリストファイルを検索する動作において、検索したいデータファイルのキーワードをユーザーが一文字ずつ入力することのできる操作入力手段を備えたことを特徴とする請求項１または請求項２記載の再生装置。
【請求項６】
前記プレイリスト逆引きテーブルを利用してプレイリストファイルを検索する動作において、検索したいデータファイルのキーワードをユーザーが一文字ずつ入力することのできる操作入力手段を備えたことを特徴とする請求項３記載の記録再生装置。
【発明の詳細な説明】
【技術分野】
【０００１】
本発明は、オーディオ、静止画、ビデオの各データファイルを再生する際に、メニュー画面を用いてプレイリストファイルを選択する再生装置、記録再生装置に関するものである。
【背景技術】
【０００２】
従来、パーソナルコンピュータにおいては音楽・音声・効果音などを記録したオーディオデータファイルや写真・絵画・グラフィック等を記録した静止画データファイルや映画・ビデオ・アニメーションなどを記録したビデオデータファイルをユーザーの希望によりこれらが保存された記録媒体から選択して再生することができる。これらのデータは記録媒体に応じた所定のファイルシステムで管理されており、パーソナルコンピュータでは階層構造を持ったディレクトリの中に存在するファイルとしてその所在を認識することができる。
【０００３】
これらのデータファイルの中で複数のファイルを特定の順番で連続的に再生する手順を定義したファイルを一般にプレイリストファイルと呼んでいる。ファイル名の前にディレクトリのパス名を付けた文字列を単純に並べただけのプレイリストファイル（例えば、非特許文献１参照）や、ファイル名とそれ以外の情報を一緒に記述したＸＭＬ（ｅＸｔｅｎｓｉｂｌｅ  Ｍａｒｋｕｐ  Ｌａｎｇｕａｇｅ）形式のプレイリストファイル（例えば、非特許文献２参照）や、データファイルをＩＤ番号で定義し、プレイリストファイルだけではなくメニューやデータファイルのメタデータをまとめて管理するシステムなどが存在する（例えば、非特許文献３参照）。
【０００４】
ＣＤ−Ｒ（Ｃｏｍｐａｃｔ  Ｄｉｓｋ−Ｒｅｃｏｒｄａｂｌｅ）などの記録媒体上にデータファイルと一緒にこれらのプレイリストファイルを記録しておくと、それぞれのプレイリストファイルに対応したプレーヤで再生する時に、ユーザーはプレイリストファイルを選択するだけで希望のデータファイルを一定の順序で再生することができる。
【０００５】
また、オーディオデータファイルに付随するアーティスト名などの補助情報を利用してプレイリストファイルをより簡単な操作で自動的に作成する記録再生装置がある（例えば、特許文献１参照）。
【０００６】
このようにプレイリストファイルを利用することによって、ユーザーは記録媒体に大量に保存されたデータファイルの中から、特定のくくりでまとめておいたデータファイルを選択して再生することができる。
【非特許文献１】ＣＤ→ＷＡＶ→ＭＰ３のページ作者、“プレイリストについて”、［  ｏｎｌｉｎｅ  ］、平成１５年６月１２日、［平成１５年６月１２日検索］、インターネット＜ＵＲＬ：ｈｔｔｐ：／／ｗｗｗ．ｃｄｗａｖｍｐ３．ｃｏｍ／ｐｌａｙｅｒ／ｐｌａｙｌｉｓｔ．ｈｔｍｌ＞
【非特許文献２】Ｏｐｔｉｃａｌ  Ｓｔｏｒａｇｅ  Ｔｅｃｈｎｏｌｏｇｙ  Ａｓｓｏｃｉａｔｉｏｎ，  Ｉｎｃ．、“ＭＰＶ  Ｃｏｒｅ  Ｓｐｅｃｉｆｉｃａｔｉｏｎ  Ｒｅｖｉｓｉｏｎ  １．０１”、［  ｏｎｌｉｎｅ  ］、平成１５年３月１１日、［平成１５年６月１２日検索］、インターネット＜ＵＲＬ：ｈｔｔｐ：／／ｗｗｗ．ｏｓｔａ．ｏｒｇ／ｍｐｖ／ｐｕｂｌｉｃ／ｓｐｅｃｓ．ｈｔｍ＞
【非特許文献３】麻倉怜士、“連載  何かが道をやって来る  Ｖｏｌ．３”、ＨｉＶｉ（株）ステレオサウンド  平成１５年６月号１６４〜１６７頁
【特許文献１】特開２００２−３１３０７０号公報
【発明の開示】
【発明が解決しようとする課題】
【０００７】
解決しようとする問題点は、記録媒体の容量が増大し、そこに記録されるオーディオ、静止画、ビデオなどのデータファイルの数が一気に増え、それに伴ってプレイリストファイルの数も増えたことで、その中からユーザーが再生したいプレイリストファイルを選択する操作自体が不便になってきている点である。
【課題を解決するための手段】
【０００８】
本発明は、メニュー表示を利用したユーザー操作入力に従ってファイル読み出し手段にて読み出されたデータファイルやプレイリストファイルの情報管理を行い、データファイルについてそれぞれが指定されているプレイリストファイルを確認することが可能な一覧情報であるプレイリスト逆引きテーブルを作成することを最も主要な特徴とする。
【発明の効果】
【０００９】
本発明の再生装置、記録再生装置は、例えばユーザーが漠然と何か音楽を聴きたいと思った時に、どのような種類の音楽を聴きたいのかをアーティスト名、アルバム名、ジャンル、年度、再生頻度といった検索項目を選んでそれに合ったキーワードを入力し、それに一致するオーディオデータファイルを選び出して、そこに聴きたい曲があると次にその曲を含んだプレイリストファイルの一覧を表示するので、その中から希望にあったプレイリストファイルを選ぶことで、先に漠然とイメージした１曲を参考にしてそれと同じ分類でくくられた複数の曲を一括して聴くことが容易になるという利点がある。
【発明を実施するための最良の形態】
【００１０】
沢山のプレイリストファイルの中からユーザーが再生したいと思えるプレイリストファイルを容易に選択できるようにするという目的を、記録媒体から読み出したデータファイルとプレイリストファイルを用いてプレイリスト逆引きテーブルを作成するプレイリスト逆引きテーブル作成手段により実現した。
【００１１】
以下本発明の実施の形態について、図１から図７を用いて説明する。はじめに図１は、本発明の実施の形態における記録再生装置のブロック図である。１は着脱可能な記録媒体、２は記録媒体１に保持されるオーディオ、静止画、ビデオのデータファイル、３は記録媒体１に保持されデータファイル２の再生手順を示すプレイリストファイル、４は記録媒体１に記録されたプレイリスト逆引きテーブル、５は本発明の記録再生装置、６は記録再生装置５においてファイル情報の管理、作成とその他のブロックの制御をおこなう制御手段、７は制御手段６において全てのファイル情報、表示するメニュー情報の管理を行うファイル管理手段、８は制御手段６において新たなプレイリストファイルの作成を行うプレイリストファイル作成手段、９は制御手段６においてファイル管理手段７の管理する情報を用いて、データファイル２が指定されているプレイリストファイルを探し出すことが可能な一覧情報であるプレイリスト逆引きテーブルを作成するプレイリスト逆引きテーブル作成手段、１０はプレイリスト逆引きテーブル作成手段が作成したテーブル情報を記録再生装置５の内部で保持する内部記憶手段、１１は内部記憶手段１０に保持されるプレイリスト逆引きテーブル、１２はメニューを操作して記録再生装置５の動作を指示する、あるいは検索したいデータファイルのキーワードをユーザーが一文字ずつ入力することのできる操作入力手段、１３はプレイリスト逆引きテーブル作成手段９により作成されたプレイリスト逆引きテーブル１１を記録媒体１に記録するファイル記録手段、１４は記録媒体１からデータファイル２やプレイリストファイル３の読み出しを行うファイル読み出し手段、１５はファイル読み出し手段１４で読み出したデータファイルのデコード処理を行うデータファイル再生手段、１６はユーザーに記録再生装置５の動作状況や、プレイリストを選択するための各種メニューを示すメニュー表示手段を構成している。
【００１２】
ここで記録媒体１は着脱可能な構成としたが、記録再生装置に内蔵される記録媒体であり、さらに保持されるそれぞれのファイルを記録再生装置の外部に接続された装置や通信路から取り込んだり、または読み出したりできる構成であっても良い。具体的には、記録媒体１は、ＣＤ−Ｒ／−ＲＷ、ＤＶＤ−ＲＡＭ／−Ｒ／−ＲＷ／＋Ｒ／＋ＲＷなどの光ディスク、リムーバブルのＨＤ、フラッシュメモリ、ネットワークに接続されたサーバーなどを有している。
【００１３】
また制御手段６は具体的には、ＣＰＵ（Ｃｅｎｔｒａｌ  Ｐｒｏｃｅｓｓｉｎｇ  Ｕｎｉｔ）や組み込み型のマイクロコンピュータなどを有している。続いて、図２は本発明の実施の形態におけるメニュー画面の説明図であり、データファイルを検索するための検索項目の選択とキーワードの入力画面を示している。
【００１４】
続いて、図３は本発明の実施の形態におけるメニュー画面の説明図であり、図２のメニュー画面で設定した項目で検索した結果選び出されたデータファイルの一覧と、そのデータファイルが含まれているプレイリストファイルの総数と、そのデータファイルを直接再生するのかそれともプレイリストファイルの一覧を表示するのかを選択する画面を示している。
【００１５】
続いて、図４は本発明の実施の形態におけるメニュー画面の説明図であり、図３のメニュー画面でプレイリストファイルの一覧を表示するように指示した結果のプレイリストファイル表示と、どのプレイリストファイルを再生するのかを選択する画面を示している。
【００１６】
続いて、図５は本発明の実施の形態におけるプレイリストファイル３の説明図であり、２０はそのプレイリストファイルの種別情報やそこに含まれるデータファイルの各種補助情報やデータファイルの個数などを格納するヘッダ部、２１は例えばファイル名のようにプレイリストファイルで再生指定されるデータファイルを識別するための情報とその再生方法に関わる情報を順番に記述した再生順序記述部を構成している。
【００１７】
続いて、図６は本発明の実施の形態におけるプレイリスト逆引きテーブル４の説明図であり、３０はそのプレイリスト逆引きテーブルの種別情報やそこに含まれるプレイリストファイルの共通情報やプレイリストファイルの個数などを格納するヘッダ部、３１は例えばファイル名のようにプレイリストファイルを識別するための情報を列べて記述したプレイリストファイル名記述部を構成している。
【００１８】
続いて、図７は本発明の実施の形態におけるメニュー画面を用いて目的のプレイリストファイルを選択するまでの記録再生装置５の処理フロー図である。
【００１９】
次に、メニュー画面を用いて目的のプレイリストファイルを選択する時の動作について説明する。
【００２０】
図１に示すように、記録媒体１に保持されるオーディオ、静止画、ビデオの各データファイル２の中で１個あるいは複数のファイルを特定の順番で連続的に再生する手順を定義したプレイリストファイル３は、既に記録再生装置により作成されたものが記録媒体１に保存されているとする。ここでユーザーが漠然と何か音楽を聴きたいと思った場合に、オーディオのデータファイルを再生する方法としてプレイリストファイルを選ぶことにより、一連のオーディオデータを続けて視聴することが可能である。しかし記録媒体１に保存されたプレイリストファイルの数が比較的多いと、全プレイリストの一覧から今の気分に合った曲を探し出すのが困難になる。まず、ユーザーは自分の記憶から具体的に聴きたい曲を１曲思い浮かべる。そしてその曲と同じアーティストの曲を聴きたいのか、その曲と同じジャンルの曲を聴きたいのか、その曲と同じ年代の曲を聴きたいのか、その曲を含めて好きな曲を集めたものを聴きたいのかといった要求に応じて、どのような種類の音楽を聴きたいのかに応じてアーティスト名、アルバム名、ジャンル、年度、再生頻度といった検索項目を選択する。続いて検索項目に適したキーワードを選びそれに一致または似通ったキーワードの補助情報を持つオーディオデータファイルを探す。図２はこの時のメニュー表示を示している。この時ファイル管理手段７はメニュー表示手段１６により必要なメニューの表示と、操作入力手段１２によりユーザーの指示の入力と、ファイル読み出し手段１４により記録媒体１からデータファイル２の補助情報の読み出しを行い、そして設定された検索項目とキーワードから目的のデータファイルの検索と結果の表示を行う。
【００２１】
図３は検索した結果選び出されたデータファイルの一覧と、そのデータファイルが含まれているプレイリストファイルの総数と、そのデータファイルを直接再生するのかそれともプレイリストファイルの一覧を表示するのかを選択する画面である。この中に聴きたい曲があり、その曲のみを再生したい場合にはそのタイトルを選択すれば直ちにそのオーディオデータファイルをデータファイル再生手段１５によりデコードして再生する。しかし、その曲を含む複数の曲を聴きたい場合にはそのタイトルを含むプレイリストファイル一覧表示を指示する。この時ファイル管理手段７は記録媒体１にデータファイル２についてそれぞれが指定されているプレイリストファイル３を確認することが可能な一覧情報であるプレイリスト逆引きテーブル４が保持されている場合にはファイル読み出し手段１４によりこれを読み出し、記録媒体１にプレイリスト逆引きテーブル４が保持されていない場合にはプレイリスト逆引きテーブル作成手段９により同様のプレイリスト逆引きテーブル１１を作成していつでも利用できるように内部記憶手段１０に保持してあるので、いずれかのプレイリスト逆引きテーブルを利用してメニュー表示手段１６によりそのタイトルを含むプレイリストファイル一覧を表示する。
【００２２】
図４はプレイリストファイルの一覧を表示するように指示した結果のプレイリストファイルの表示と、その中のプレイリストファイルを選択するための画面である。この一覧の中から希望に合ったプレイリストファイルを選ぶことで目的の操作が完了し、漠然とイメージした１曲と同じ分類でくくられた複数の曲を一括して聴くことができる。このメニュー画面を用いて目的のプレイリストファイルを選択するまでの一連の手順を記録再生装置５の処理フロー図で説明したものが図７である。処理４１、処理４２、処理４５、処理４６、処理４７、処理４９により各ステップでのメニュー表示と検索結果表を行い、分岐処理４３、分岐処理４８により各ステップでのユーザー操作に応じた処理フローの分岐を行っている。分岐処理４４ではプレイリスト逆引きテーブルが記録媒体１に存在する場合とプレイリスト逆引きテーブル作成手段９で作成する場合とで処理の分岐を行っている。
【００２３】
尚プレイリスト逆引きテーブル作成手段９により作成されたプレイリスト逆引きテーブル１１を記録媒体１に記録するファイル記録手段１３を備えている場合には、記録媒体１にプレイリスト逆引きテーブル４として記録しておくことで、記録媒体１をその後別の機会に再生する、または別の再生装置、記録再生装置で再生する時には、ここに記録したプレイリスト逆引きテーブル４を読み込んで活用することができる。
【００２４】
またファイル管理手段７の管理するデータファイル２を順序付けて再生するための新たなプレイリストファイルを作成するプレイリストファイル作成手段８を備えている場合には、記録媒体１に新たなプレイリストファイル３とその情報も含んで更新したプレイリスト逆引きテーブル４を記録しておくことで、常に正規の情報を持ったプレイリスト逆引きテーブル４を記録媒体１に記録しておくことができる。
【００２５】
またプレイリスト逆引きテーブル４または１１を利用してプレイリストファイル３を検索する動作において、検索したいデータファイルのキーワードをユーザーが一文字ずつ入力することのできる操作入力手段１２を備えている場合には、メニューに表示された複数のキーワードを選択するよりも素早く、検索で設定したいキーワードを入力することができる。
【００２６】
次にプレイリストファイル３に関わる図５について説明する。再生順序記述部２１にはそのプレイリストファイルが選ばれた時に順番に再生するデータファイルを識別するための情報、例えばファイル名などを記述してある。もしプレイリスト逆引きテーブル４がない場合には、ファイル管理手段７はユーザーがあるデータファイルを含んだプレイリストファイルを探したい時に、全てのプレイリストファイルの再生順序記述部２１を読み出して、その中に指定されたデータファイルが存在するかどうかを確認していく必要があり、その結果が出るまでに多くの処理時間を要することになる。
【００２７】
続いて、プレイリスト逆引きテーブル４に関わる図６について説明する。ヘッダ部３０にはそのプレイリスト逆引きテーブル４の種別情報やそこに含まれるプレイリストファイル３の共通情報やプレイリストファイル３の個数などが記述してある。またプレイリストファイル名記述部３１には例えばファイル名のようにプレイリストファイル３を識別するための情報が記述してある。そのためデータファイル２からそれが記述されたプレイリストファイル３を逆引きする際にはプレイリスト逆引きテーブル４のファイル名のみを確認するだけで検索できたり、もう少し複雑な検索条件の時にはヘッダ部３０のみを読み込むだけで検索できたり、もっと早い方法としてデータファイルの補助情報の中にそのファイルに関連するプレイリスト逆引きテーブル４を示すファイル名を記述しておけばプレイリスト逆引きテーブル４のファイル名やヘッダ部３０を検索することもなく直接プレイリスト逆引きテーブル４を特定することができる。
【００２８】
尚、本発明の装置はファイル管理手段７、プレイリストファイル作成手段８、プレイリスト逆引きテーブル作成手段９の全部または一部の手段の機能をコンピュータにより実行させるためのプログラムであって、コンピュータと協働して動作するプログラムであっても良い。
【産業上の利用可能性】
【００２９】
本発明にかかる再生装置、記録再生装置は、例えばユーザーが漠然と何か音楽を聴きたいと思った時に、どのような種類の音楽を聴きたいのかをアーティスト名、アルバム名、ジャンル、年度、再生頻度といった検索項目を選んでそれに合ったキーワードを入力し、それに一致するオーディオデータファイルを選び出して、そこに聴きたい曲があると次にその曲を含んだプレイリストファイルの一覧を表示するので、その中から希望にあったプレイリストファイルを選ぶことで、漠然とイメージした１曲を参考にしてそれと同じ分類でくくられた複数の曲を一括して聴くことが容易になるという用途にも適用できる。
【図面の簡単な説明】
【００３０】
【図１】本発明の実施の形態における記録再生装置のブロック図
【図２】本発明の実施の形態におけるメニュー画面の説明図
【図３】本発明の実施の形態におけるメニュー画面の説明図
【図４】本発明の実施の形態におけるメニュー画面の説明図
【図５】本発明の実施の形態におけるプレイリストファイルの説明図
【図６】本発明の実施の形態におけるプレイリスト逆引きテーブルの説明図
【図７】本発明の実施の形態におけるメニュー画面を用いて目的のプレイリストファイルを選択する処理のフロー図
【符号の説明】
【００３１】
１    記録媒体
２    データファイル
３    プレイリストファイル
４    プレイリスト逆引きテーブル
５    記録再生装置
６    制御手段
７    ファイル管理手段
８    プレイリストファイル作成手段
９    プレイリスト逆引きテーブル作成手段
１０    内部記憶手段
１１    プレイリスト逆引きテーブル
１２    操作入力手段
１３    ファイル記録手段
１４    ファイル読み出し手段
１５    データファイル再生手段
１６    メニュー表示手段
【図１】
2005182855.tif 000003
【図２】
2005182855.tif 000004
【図３】
2005182855.tif 000005
【図４】
2005182855.tif 000006
【図５】
2005182855.tif 000007
【図６】
2005182855.tif 000008
【図７】
2005182855.tif 000009